(57)【要約】      （修正有）【課題】複数の撮像装置間におけるファイルの送受信処理を容易に行う。【解決手段】画像ファイルを記憶する記憶手段と、他の撮像装置との間で前記画像ファイルの転送を行う通信手段と、前記他の撮像装置及び自装置が保有する画像ファイルに関するファイル情報と、当該画像ファイルを保有する撮像装置を特定する識別情報とを取得し表示する表示手段と、前記表示手段により表示されたファイル情報から所定のファイル情報を選択する選択手段と、前記選択手段により選択されたファイル情報に対応する画像ファイルを前記通信手段を介して他の撮像装置に送信し、前記選択手段により他の撮像装置のファイル情報が選択された場合、当該選択されたファイル情報に対応する画像ファイルの送信要求を前記通信手段を介して他の撮像装置に送信し、前記送信要求を受けた他の撮像装置から転送される画像ファイルを前記通信手段を介して受信する通信制御手段と、を有する。【選択図】      図１
2007080000.tif 000002
【特許請求の範囲】
【請求項１】
被写体を撮像して画像データを生成する撮像装置であって、
前記画像データからなる画像ファイルを記憶する記憶手段と、
少なくとも１つの他の撮像装置との間で前記画像ファイルの転送を行う通信手段と、
前記通信手段により接続された前記他の撮像装置及び自装置が保有する画像ファイルに関するファイル情報と、当該画像ファイルを保有する撮像装置を特定する識別情報とを取得し表示する表示手段と、
前記表示手段により表示されたファイル情報から所定のファイル情報を選択する選択手段と、
前記選択手段により自装置のファイル情報が選択された場合、当該選択されたファイル情報に対応する画像ファイルを前記通信手段を介して他の撮像装置に送信し、
前記選択手段により他の撮像装置のファイル情報が選択された場合、当該選択されたファイル情報に対応する画像ファイルの送信要求を前記通信手段を介して他の撮像装置に送信し、
前記送信要求を受けた他の撮像装置から転送される画像ファイルを前記通信手段を介して受信する通信制御手段とを有することを特徴とする撮像装置。
【請求項２】
前記表示手段は、前記自装置が保有するファイルに関するファイル情報を表示する第１の表示形態と、前記他の撮像装置が保有するファイルに関するファイル情報を表示する第２の表示形態と、前記自装置及び通信確立中の他の全ての撮像装置が保有するファイルに関するファイル情報を表示する第３の表示形態と、を切り替え可能に表示することを特徴とする請求項１に記載の撮像装置。
【請求項３】
前記表示手段は、前記第１乃至第３の表示形態において少なくとも１つのファイル情報を切り替え可能に表示することを特徴とする請求項２に記載の撮像装置。
【請求項４】
前記表示手段は、前記第３の表示形態において、通信確立中の撮像装置毎に表示領域を設定してそれぞれの撮像装置のファイル情報を同時に表示することを特徴とする請求項２又は３に記載の撮像装置。
【請求項５】
前記通信制御手段は、前記ファイル情報の選択と当該ファイルの送信及び受信とを略同時に行うことを特徴とする請求項１乃至４のいずれか１項に記載の撮像装置。
【請求項６】
前記ファイル情報は、対応する画像ファイルを縮小して生成される画像データであることを特徴とする請求項１乃至５のいずれか１項に記載の撮像装置。
【請求項７】
被写体を撮像し生成される画像データからなる画像ファイルを記憶する記憶手段と、少なくとも１つの他の撮像装置との間で前記画像ファイルの転送を行う通信手段とを有する撮像装置の制御方法であって、
前記通信手段により接続された前記他の撮像装置及び自装置が保有する画像ファイルに関するファイル情報と、当該画像ファイルを保有する撮像装置を特定する識別情報とを取得し表示する表示工程と、
前記表示工程により表示されたファイル情報から所定のファイル情報を選択する選択工程と、
前記選択工程により自装置のファイル情報が選択された場合、当該選択されたファイル情報に対応する画像ファイルを前記通信手段を介して他の撮像装置に送信し、
前記選択工程により他の撮像装置のファイル情報が選択された場合、当該選択されたファイル情報に対応する画像ファイルの送信要求を前記通信手段を介して他の撮像装置に送信し、
前記送信要求を受けた他の撮像装置から転送される画像ファイルを前記通信手段を介して受信する通信制御工程とを有することを特徴とする制御方法。
【請求項８】
請求項７に記載の方法をコンピュータに実行させるためのプログラム。
【請求項９】
請求項８に記載のプログラムを記憶したことを特徴とするコンピュータ可読記憶媒体。
【発明の詳細な説明】
【技術分野】
【０００１】
本発明は、ネットワーク接続された複数の撮像装置間においてファイルを転送する技術に関するものである。
【背景技術】
【０００２】
従来のデジタルカメラは、ＰＣ（パーソナルコンピュータ）等と通信を行うために、ＵＳＢ等の通信手段を持っている。これにより、デジタルカメラはＰＣとの間でファイル転送やプリンタでのファイル印刷を行うことが可能である。また、有線通信や無線通信によるインタフェースが実現され、これらのインタフェースをデジタルカメラに応用することも考えられる。
【０００３】
デジタルカメラが上記のような通信手段を搭載し、デジタルカメラを所有するユーザが何人か集まった場合、ユーザが互いに他のユーザのデジタルカメラに蓄積された画像ファイルを取得したいと考えることが想定される。
【０００４】
例えば、デジタルカメラを所有する複数のユーザが集まってグループを作り、グループで旅行に出かけたとする。そして旅行の最後にグループ内の各々が撮影した画像ファイルをそれぞれのデジタルカメラにコピーすることによって、グループの各メンバーは他のメンバーが撮影した画像を含むその旅行で撮影した全ての画像ファイルを取得することができる。
【０００５】
例えば、特許文献１は、撮像装置が複数台集まった状態において、１の撮像装置から他の撮像装置への画像ファイルのコピーを簡単な操作で行う方法を提案している。
【特許文献１】特開２００３−２０９７９６号公報
【発明の開示】
【発明が解決しようとする課題】
【０００６】
上記特許文献１には、１の撮像装置から他の１の撮像装置へ画像ファイルをコピーすること、つまり、特定の撮像装置から画像ファイルを受信することの記述はあるが、特定の撮像装置から他の複数の撮像装置に対して画像ファイルを送信することについての記述はない。
【０００７】
よって、例えば１の撮像装置の画像ファイルを他の複数の撮像装置にコピーしたい場合、コピーファイル配布元の撮像装置に対して、コピー先のそれぞれの撮像装置で受信操作を行わなければならない。
【０００８】
本発明は、上記課題に鑑みてなされ、複数の撮像装置間における画像ファイルの送受信処理を容易に行うことができる技術を実現することを目的としている。
【課題を解決するための手段】
【０００９】
上述した課題を解決し、目的を達成するために、本発明に係る撮像装置は、被写体を撮像して画像データを生成する撮像装置であって、前記画像データからなる画像ファイルを記憶する記憶手段と、少なくとも１つの他の撮像装置との間で前記画像ファイルの転送を行う通信手段と、前記通信手段により接続された前記他の撮像装置及び自装置が保有する画像ファイルに関するファイル情報と、当該画像ファイルを保有する撮像装置を特定する識別情報とを取得し表示する表示手段と、前記表示手段により表示されたファイル情報から所定のファイル情報を選択する選択手段と、前記選択手段により自装置のファイル情報が選択された場合、当該選択されたファイル情報に対応する画像ファイルを前記通信手段を介して他の撮像装置に送信し、前記選択手段により他の撮像装置のファイル情報が選択された場合、当該選択されたファイル情報に対応する画像ファイルの送信要求を前記通信手段を介して他の撮像装置に送信し、前記送信要求を受けた他の撮像装置から転送される画像ファイルを前記通信手段を介して受信する通信制御手段とを有する。
【００１０】
また、本発明に係る制御方法は、被写体を撮像し生成される画像データからなる画像ファイルを記憶する記憶手段と、少なくとも１つの他の撮像装置との間で前記画像ファイルの転送を行う通信手段と、を有する撮像装置の制御方法であって、前記通信手段により接続された前記他の撮像装置及び自装置が保有する画像ファイルに関するファイル情報と、当該画像ファイルを保有する撮像装置を特定する識別情報とを取得し表示する表示工程と、前記表示工程により表示されたファイル情報から所定のファイル情報を選択する選択工程と、前記選択工程により自装置のファイル情報が選択された場合、当該選択されたファイル情報に対応する画像ファイルを前記通信手段を介して他の撮像装置に送信し、前記選択工程により他の撮像装置のファイル情報が選択された場合、当該選択されたファイル情報に対応する画像ファイルの送信要求を前記通信手段を介して他の撮像装置に送信し、前記送信要求を受けた他の撮像装置から転送される画像ファイルを前記通信手段を介して受信する通信制御工程とを有する。
【発明の効果】
【００１１】
本発明によれば、複数の撮像装置間におけるファイルの送受信処理を容易に行うことができる。
【発明を実施するための最良の形態】
【００１２】
以下、本発明の実施形態について図面を参照して詳細に説明する。
【００１３】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１４】
［第１の実施形態］
図１は、本発明の実施形態における無線ネットワークシステムを示す図である。
【００１５】
図１において、Ａ，Ｂは本実施形態における撮像装置としてのデジタルカメラ、１０１は無線ネットワーク、１０６，１０７はそれぞれデジタルカメラＡ，Ｂに格納されたサムネイル、１１０，１１１はデジタルカメラＡ，Ｂにそれぞれ格納された画像ファイルである。なお、本実施形態における撮像装置は、デジタルカメラに限るものではない。デジタルカメラの代わりに、デジタルビデオカメラ、デジタルカメラ付き携帯電話などのデジタルカメラとして動作する装置を採用してもよい。
【００１６】
各デジタルカメラＡ，Ｂは、撮影した画像１１０，１１１を格納している。また、画像ファイル１１０，１１１に対応したサムネイル１０６，１０７をそれぞれ格納している。サムネイルとは画像サイズを縮小してデジタルカメラの表示部等に表示し易く加工した画像である。
【００１７】
各デジタルカメラＡ，Ｂは互いに通信可能である。各デジタルカメラＡ，Ｂは、他のデジタルカメラに格納されたサムネイル１０６，１０７を検索することができる。また、各デジタルカメラＡ，Ｂは、検索したサムネイル１０６，１０７の中から所望のサムネイル及び対応する画像を送受信することができる。
【００１８】
図２は、本実施形態の無線ネットワークシステムを構成するデジタルカメラとその周辺環境を示すブロック図である。なお、デジタルＡ，Ｂは同一の構成を有しているので、以下ではカメラＡのみの構成ついて説明する。
【００１９】
図２において、デジタルカメラＡはシステムコントローラ１７によって制御されている。システムコントローラ１７はＲＯＭ７に書き込まれている制御プログラムを実行することによりカメラ全体の制御を行う。操作部１５にはシャッタースイッチやカメラの各種機能を設定する操作スイッチ等が含まれている。操作スイッチは十字キーやEnterスイッチ等であり、カメラの各種機能を設定したり、ファイル転送時に転送するファイルを選択可能である。１４はメモリカードスロットで、メモリカード１３とカメラＡとを接続する。メモリカード１３は取り外し可能な記憶媒体の一例であり、撮像画像の画像ファイル等を保存する。メモリカード１３には、ＳＤメモリカード、コンパクトフラッシュ（登録商標）などを用いることができる。
【００２０】
１０は無線通信インタフェースで、ＩＥＥＥ８０２．１１ｂ等の無線ＬＡＮ規格に準拠したものであり、カメラＡとＰＣ２０１、カメラＡとカメラＢ、或いは第２の実施形態で説明する３台以上のカメラによる無線ネットワークを形成することができる。無線通信インタフェース１０はアンテナ１１を有する。無線通信インタフェース１０は、カメラＡに内蔵されたものであっても、カメラＡから取り外し可能なものであってもよい。
【００２１】
６はディスプレイで、撮影された画像やユーザへのメニュー画面等を表示し、さらには撮像素子３から得られる映像をリアルタイムで表示することによってビューファインダーとして機能する。ディスプレイ６には、液晶表示器を用いることができる。特に他のカメラとのファイル転送を行うときには、画像ファイルのサムネイルとユーザインタフェースメニューを表示し、これと操作部１５を用いることによってユーザは受送信すべき画像ファイルの選択が可能となっている。２０はリアルタイムクロックでデジタルカメラの時間を計測する。
【００２２】
次に、デジタルカメラの撮影動作について説明する。
【００２３】
ユーザが操作部１５に含まれているシャッタースイッチによりカメラＡに撮影を指示した場合、カメラＡは撮像素子３を駆動し撮像素子に結像した被写体像を電気信号に変換する。撮像素子３には、ＣＣＤイメージセンサ、ＣＭＯＳイメージセンサなどのイメージセンサを用いることができる。撮像処理部４は撮像素子３が出力した電気信号を相関二重サンプリング処理し、さらにこれをデジタル画像データに変換する。画像処理部５はデジタル画像データに対し、輝度色差画像データへの変換やガンマ処理等を行い、さらにこれを圧縮処理する。システムコントローラ１７はバス２を制御し、圧縮された画像データを一旦ＲＡＭ８に転送する。さらに画像データをメモリカード１３に転送し、これを画像ファイルとして保存処理する。
【００２４】
このとき、カメラＡはユーザからの操作部１５の操作に応じてディスプレイにメニューを表示し、ユーザはこのメニューを見て操作部１５を操作することによって画像ファイルに対する各種設定を行う。
【００２５】
図１のデジタルカメラＡとデジタルカメラＢ、ＰＣ２０１はそれぞれ無線通信を行う無線通信インタフェース１０を有する。
【００２６】
無線通信インタフェース１０を用いたカメラＡ，Ｂ及びＰＣ２０１はいずれも、他の無線機器との距離が所定距離内となったときに、その無線機器を認識しネットワークを構成する。
【００２７】
ここでは、カメラＡ、カメラＢが所定距離内に近づき、これによってネットワークが構成されている。さらに、カメラＡのユーザがカメラＡをファイル交換モードに切り替えたとすると、カメラＢからサムネイル画像を受信する。カメラＢでも同様に、ファイル交換モードに切り替えることによりカメラＡからサムネイル画像を受信する。このサムネイルの受信処理に関しては上記特許文献１と同様の手法を用いる。
【００２８】
図３は、本実施形態のデジタルカメラによるファイル交換モード時の表示画面１を例示する図である。
【００２９】
図３において、４０１はディスプレイ６に表示される表示領域全体である。４０２は交換モードでデジタルカメラの一覧を表示していることを示すタイトルである。４０３，４０４は各デジタルカメラＡ，Ｂに対応するカメラアイコンである。４０５はネットワーク上の全てのカメラに対応するカメラアイコンである。４０６，４０７は各デジタルカメラＡ，Ｂのカメラ名称である。４０８はネットワーク上の全てのカメラを表現する名称である。
【００３０】
ファイル交換モードに移行すると、ディスプレイ６にデジタルカメラの一覧が表示される。デジタルカメラの一覧では、カメラアイコン４０３〜４０５とカメラ名称４０６〜４０８が表示される。本実施形態では、自己のデジタルカメラＡはカメラアイコン４０３に対応し、デジタルカメラＢはカメラアイコン４０４に対応し、Ａ，Ｂ両方に対応するカメラがカメラアイコン４０８として表現される。
【００３１】
図３においては、カメラ名称４０７の背景の色が変わっており、このカメラ名称４０７のデジタルカメラＢが選択されていることを示す。デジタルカメラの選択は、十字釦等の操作部により変えることができる。デジタルカメラの選択後、操作部１５の決定ボタンを押下すると４０６，４０７を選んだ場合は図４、４０８を選んだ場合は図５に示すような画面がディスプレイ６に表示される。
【００３２】
図４は、本実施形態のデジタルカメラによるファイル交換モード時の表示画面２を例示する図である。
【００３３】
図４において、５０１はディスプレイ６に表示される表示領域全体である。５０２はファイル交換モードにおいて選択されたデジタルカメラに格納された画像に対応するサムネイルの一覧を表示していることを示すタイトルである。５０３，５０４，５０５は各画像に対応するサムネイルである。５０６，５０７，５０８は各画像に対応する撮影日時である。
【００３４】
図４に示すカメラＡの画像一覧には、カメラＡが保有する画像のサムネイル５０３，５０４，５０５及び撮影日時５０６，５０７，５０８が表示される。図示していないが、サムネイル一枚表示により十字キー等の操作により画像を順次送る表示モードもある。この一枚表示モードと図４で示した一覧表示モードは、ユーザが予め又は途中で設定を変更可能である。
【００３５】
図５は、本実施形態のデジタルカメラによるファイル交換モード時の表示画面３を例示する図である。
【００３６】
図５において、６０１はディスプレイ６に表示される表示領域全体である。６０２はファイル交換モードにおいてネットワーク上の全てのデジタルカメラに格納された画像のサムネイルの一覧を表示していることを示すタイトルである。６０３，６０４，６０５は各画像に対応するサムネイルである。６０６，６０７，６０８は各画像に対応する撮影日時である。６０９，６１０，６１１はサムネイルに対応する画像ファイルが保存されているカメラ先を表している。
【００３７】
図５に示す画像一覧では、サムネイル６０３，６０４，６０５、撮影日時６０６，６０７，６０８及びカメラ名称６０９，６１０，６１１が表示される。図示していないが、サムネイル一枚表示により十字キー等の操作により画像を順次送る表示モードもある。この一枚表示モードと図５で示した一覧表示モードは、ユーザが予め又は途中で設定を変更可能である。
【００３８】
図６は、本実施形態のデジタルカメラによるファイル交換処理を示すフローチャートである。
【００３９】
ユーザがカメラＡを操作し図３で示したカメラ一覧画面でカメラＢを選択すると（Ｓ７０１）、カメラＢに保存された画像ファイルのサムネイルを取得する。その後、ユーザが設定したサムネイル表示方法（一枚ｏｒ一覧（図４））に応じてサムネイルを表示する（Ｓ７０２）。そして図４の画像一覧から１つのサムネイルを選択して、操作部１５の決定ボタンを押すことで、カメラＢへ選択されたサムネイルに対応する画像ファイルの送信要求を伝える（Ｓ７０３）。送信要求を受けたカメラＢは（Ｓ７０４）、要求された画像ファイルをカメラＡに送信し（Ｓ７０５）、カメラＡは受信し（Ｓ７０６）、保存する（Ｓ７０７）。
【００４０】
図７は、本実施形態のデジタルカメラによるファイル交換処理を示すフローチャートである。
【００４１】
ユーザがカメラＡを操作し図３で示したカメラ一覧画面でカメラＡを選択すると（Ｓ８０１）、カメラＡに保存された画像ファイルのサムネイルを、ユーザが設定したサムネイル表示方法（一枚ｏｒ一覧（図４））に応じて表示する（Ｓ８０２）。そして図４の画像一覧から１つのサムネイルを選択して、操作部１５の決定ボタンを押すことで、カメラＢへ選択されたサムネイルに対応する画像ファイルを送信し（Ｓ８０３）、カメラＢはその画像ファイルを受信し、保存する（Ｓ８０４）。
【００４２】
図８は、本実施形態のデジタルカメラによるファイル交換処理を示すフローチャートである。
【００４３】
ユーザがカメラＡを操作し図３で示したカメラ一覧画面でネットワーク上の全てのカメラを選択すると（Ｓ９０１）、カメラＡに保存された画像ファイルのサムネイルと、カメラＢに保存された画像ファイルのサムネイルとを取得する。その後、ユーザが設定したサムネイル表示方法（一枚ｏｒ一覧（図４））に応じてサムネイルを表示する（Ｓ９０２）。
次に図５の画像一覧から１つのサムネイルを選択して、操作部１５の決定ボタンを押すと（Ｓ９０３）、そのサムネイルがカメラＡのものであれば（Ｓ９０４）、カメラＢへ選択されたサムネイルに対応する画像ファイルを送信する（Ｓ９０５）。カメラＢはその画像ファイルを受信し保存する（Ｓ９０６）。そのサムネイルがカメラＢのものであれば（Ｓ９０４）、カメラＢへ選択されたサムネイルに対応する画像ファイルの送信要求を伝える（Ｓ９０７）。送信要求を受けたカメラＢは（Ｓ９０８）、要求された画像ファイルをカメラＡに送信し（Ｓ９０９）、カメラＡは受信し（Ｓ９１０）、保存する（Ｓ９１１）。
【００４４】
上記実施形態によれば、操作中のカメラＡが保有する画像のサムネイル、他のカメラＢが保有する画像のサムネイル、ネットワーク上の全てのカメラが保有する画像のサムネイルを一覧表示する。そして、選択したサムネイルが操作中のカメラＡのサムネイルであればカメラＢに送信し、他のカメラＢのサムネイルであればカメラＢから受信する。更に、カメラＡ，Ｂに対する画像の選択操作と送受信処理とを略同時に行う。これにより、カメラ間のファイル交換を簡単な操作で実現することができる。
【００４５】
［第２の実施形態］
上述した第１の実施形態はネットワーク上に２台のカメラＡ，Ｂがある場合のファイル交換処理であるのに対して、第２の実施形態は３台以上のカメラＡ，Ｂ，Ｃである場合のファイル交換処理である。第２の実施形態は、第１の実施形態の変形例であるので、第１の実施形態と同様の部分についてはその説明を省略する。
【００４６】
図９は、第２の実施形態のデジタルカメラによるファイル交換処理を示すフローチャートである。
【００４７】
ユーザがカメラＡを操作し図３で示したカメラ一覧画面でカメラＢ又はＣを選択すると（Ｓ１００１）、カメラＢ又はＣに保存された画像ファイルのサムネイルを取得する。その後、ユーザが設定したサムネイル表示方法（一枚ｏｒ一覧（図４））に応じてサムネイルを表示する（Ｓ１００２）。そして図４の画像一覧から１つのサムネイルを選択して、操作部１５の決定ボタンを押すことで、カメラＢ又はＣへ選択されたサムネイルに対応する画像ファイルの送信要求を送る（Ｓ１００３）。送信要求を受けたカメラＢ又はＣは（Ｓ１００４）、要求された画像ファイルをカメラＡに送信し（Ｓ１００５）、カメラＡは受信し（Ｓ１００６）、保存する（Ｓ１００７）。
【００４８】
図１０は、第２の実施形態のデジタルカメラによるファイル交換処理２を示すフローチャートである。
【００４９】
ユーザがカメラＡを操作し図３で示したカメラ一覧画面でカメラＡを選択すると（Ｓ１１０１）、カメラＡに保存された画像ファイルのサムネイルを、ユーザが設定したサムネイル表示方法（一枚ｏｒ一覧（図４））に応じて表示する（Ｓ１１０２）。そして図４の画像一覧から１つのサムネイルを選択して、操作部１５の決定ボタンを押すと、次に送信先を選択する（Ｓ１１０３）。送信先として、カメラＢ、カメラＣ又はカメラＢ、Ｃの両方の３つの選択肢がある。そして、選択された送信先へ、選択されたサムネイルに対応する画像ファイルを送信し（Ｓ１１０４）、カメラＢはその画像ファイルを受信し、保存する（Ｓ１１０５）。
【００５０】
図１１は、本実施形態のデジタルカメラによるファイル交換処理３を示すフローチャートである。
【００５１】
ユーザがカメラＡを操作し図３で示したカメラ一覧画面でネットワーク上の全てのカメラを選択すると（Ｓ１２０１）、カメラＡに保存された画像ファイルのサムネイルと、カメラＢ，Ｃに保存された画像ファイルのサムネイルを取得する。その後、ユーザが設定したサムネイル表示方法（一枚ｏｒ一覧（図４））に応じてサムネイルを表示する（Ｓ１２０２）。そして図５の画像一覧から１つのサムネイルを選択して、操作部１５の決定ボタンを押す（Ｓ１２０３）。選択されたサムネイルがカメラＡのものであれば（Ｓ１２０４）、送信先を選択する（Ｓ１２０５）。送信先として、カメラＢ，カメラＣ又はカメラＢ，Ｃの両方の３つの選択肢がある。そして送信先のカメラへ選択されたサムネイルに対応する画像ファイルを送信し（Ｓ１２１２）、送信先のカメラはその画像ファイルを受信し、保存する（Ｓ１２０６）。また、選択されたサムネイルがカメラＢ又はＣのものであれば（Ｓ１２０４）、カメラＢ又はＣへ選択されたサムネイルに対応する画像ファイルの送信要求を伝える（Ｓ１２０７）。この送信要求を受けたカメラＢ又はＣは（Ｓ１２０８）、送信要求を受けた画像ファイルをカメラＡに送信し（Ｓ１２０９）、カメラＡはその画像ファイルを受信し（Ｓ１２１０）、保存する（Ｓ１２１１）。
【００５２】
上記実施形態によれば、３台以上のカメラ間でのファイル交換を簡単な操作で実現することができる。
【００５３】
［他の実施形態］
前述した実施形態の機能は、コンピュータ（ＣＰＵ、ＭＰＵでもよい）で実行可能なコンピュータプログラムで実現することも可能である。
【００５４】
このようなコンピュータプログラムを供給するための記憶媒体としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００５５】
その他、上記のコンピュータプログラムの供給方法としては、クライアントコンピュータのブラウザを用いてインターネットのホームページに接続し、該ホームページから上記のコンピュータプログラムそのものをダウンロードすることもできる。また圧縮され自動インストール機能を含むファイルをハードディスク等の記憶媒体にダウンロードすることによっても供給できる。また、上記のコンピュータプログラムを複数のファイルに分割し、それぞれのファイルを異なるホームページからダウンロードすることによっても実現可能である。つまり、上記のコンピュータプログラムを複数のユーザに対してダウンロードさせるWWWサーバも、本発明の構成要素である。
【００５６】
また、前述した実施形態の機能は、コンピュータプログラムがコンピュータ上で稼動しているＯＳ（オペレーティングシステム）等を用いてが実現することもできる。
【図面の簡単な説明】
【００５７】
【図１】本発明に係る実施形態の撮像装置を有する無線ネットワークシステムを示す図である。
【図２】本実施形態のデジタルカメラの構成及びその周辺環境を示すブロック図である。
【図３】第１の実施形態のデジタルカメラによるファイル交換モード時の表示画面１を例示する図である。
【図４】第１の実施形態のデジタルカメラによるファイル交換モード時の表示画面２を例示する図である。
【図５】第１の実施形態のデジタルカメラによるファイル交換モード時の表示画面３を例示する図である。
【図６】第１の実施形態のデジタルカメラによるファイル交換処理を示すフローチャートである。
【図７】第１の実施形態のデジタルカメラによるファイル交換処理を示すフローチャートである。
【図８】第１の実施形態のデジタルカメラによるファイル交換処理を示すフローチャートである。
【図９】第２の実施形態のデジタルカメラによるファイル交換処理を示すフローチャートである。
【図１０】第２の実施形態のデジタルカメラによるファイル交換処理を示すフローチャートである。
【図１１】第２の実施形態のデジタルカメラによるファイル交換処理を示すフローチャートである。
【符号の説明】
【００５８】
Ａ，Ｂ  デジタルカメラ
２  システムバス
３  撮像素子
４  撮像処理部
５  画像処理部
６  ディスプレイ
７  ＲＯＭ
８  ＲＡＭ
１０  無線通信インタフェース
１１  アンテナ
１３  メモリカード
１４  メモリカードスロット
１５  操作部
１６  Ｉ／Ｏポート
１７  システムコントローラ
２０  リアルタイムクロック
１０１  無線ネットワーク
１０６，１０７  サムネイル
１１０，１１１  画像ファイル
２０１  ＰＣ
【図１】
2007080000.tif 000003
【図２】
2007080000.tif 000004
【図３】
2007080000.tif 000005
【図４】
2007080000.tif 000006
【図５】
2007080000.tif 000007
【図６】
2007080000.tif 000008
【図７】
2007080000.tif 000009
【図８】
2007080000.tif 000010
【図９】
2007080000.tif 000011
【図１０】
2007080000.tif 000012
【図１１】
2007080000.tif 000013